(57)【要約】【課題】非記録領域を切り離すことができ、また、非記録領域が切り離された後、記録媒体が極狭い幅で切り離されたり、記録媒体がない状態で切断動作が行われたりすることを抑制することができる記録装置を提供する。【解決手段】所定のトリガーが発生した際に、ＢＭセンサー１０４によりブラックマークＢＭを検出するまでロール紙Ｒを送り経路の下流側に送るようにプラテンローラー１０１を制御し、送り開始からＢＭセンサー１０４によりブラックマークＢＭを検出するまでのロール紙Ｒの送り量である実送り量が、第１送り量Ａ１以上である基準送り量を超えたか否かを判断し、実送り量が基準送り量を超えたと判断した場合には、切断動作を行い、実送り量が基準送り量を超えていないと判断した場合には、切断動作を行わないように、カッター１０３を制御する。【選択図】図６
2017087658.tif 000002
【特許請求の範囲】
【請求項１】
先頭となって送られる側から順に、検出対象部が設けられていない非記録領域と、長さ方向に複数の前記検出対象部が設けられた記録領域と、を有する記録媒体、を送る送り部と、
前記記録媒体が送られる送り経路における記録位置で、前記記録媒体に記録を行う記録部と、
前記送り経路において前記記録位置よりも下流側の切断位置で、前記記録媒体を切断する切断動作を行う切断部と、
前記送り経路において前記記録位置よりも上流側の検出位置で、前記検出対象部を検出する検出部と、
前記記録媒体に対して記録を行い、前記記録媒体の記録済み部分を切り離した後、未記録の前記記録媒体の前記送り経路の下流側の先頭の前記検出対象部が、前記検出位置よりも第１送り量分、前記送り経路の上流側に位置するように、前記送り部を制御し、また、所定のトリガーが発生した際に、前記検出部により前記検出対象部を検出するまで前記記録媒体を前記送り経路の下流側に送るように前記送り部を制御し、送り開始から前記検出部により前記検出対象部を検出するまでの前記記録媒体の送り量である実送り量が、前記第１送り量以上である基準送り量を超えたか否かを判断し、前記実送り量が前記基準送り量を超えたと判断した場合には、前記切断動作を行い、前記実送り量が前記基準送り量を超えていないと判断した場合には、前記切断動作を行わないように、前記切断部を制御する制御部と、
を備えたことを特徴とする記録装置。
【請求項２】
前記記録部は、前記検出対象部が前記検出位置よりも前記第１送り量分、前記送り経路の上流側に位置した状態から、前記記録媒体への記録を開始することを特徴とする請求項１に記載の記録装置。
【請求項３】
前記制御部は、前記トリガーが発生した際に、前記検出部により前記検出対象部を検出した後、前記検出対象部が、前記検出位置よりも前記第１送り量分、前記送り経路の上流側に位置した状態で、前記記録媒体の送りを停止するように、前記送り部を制御することを特徴とする請求項２に記載の記録装置。
【請求項４】
前記制御部は、前記第１送り量を、前記基準送り量として、判断することを特徴とする請求項１ないし３のいずれか一項に記載の記録装置。
【請求項５】
前記制御部は、前記記録装置への電源投入を前記トリガーとして、前記トリガー発生時の制御を実行することを特徴とする請求項１ないし４のいずれか一項に記載の記録装置。
【請求項６】
蓋体と、
前記蓋体が開かれると露出し、前記記録媒体が収容される収容部と、をさらに備え、
前記制御部は、前記蓋体が閉じられたことを前記トリガーとして、前記トリガー発生時の制御を実行することを特徴とする請求項１ないし４のいずれか一項に記載の記録装置。
【請求項７】
先頭となって送られる側から順に、検出対象部が設けられていない非記録領域と、長さ方向に複数の前記検出対象部が設けられた記録領域と、を有する記録媒体、を送る送り部と、
前記記録媒体が送られる送り経路における記録位置で、前記記録媒体に記録を行う記録部と、
前記送り経路において前記記録位置よりも下流側の切断位置で、前記記録媒体を切断する切断動作を行う切断部と、
前記送り経路において前記記録位置よりも上流側の検出位置で、前記検出対象部を検出する検出部と、を備えた記録装置において、
前記記録媒体に記録を行い、前記記録媒体の記録済み部分を切り離した後、未記録の前記記録媒体の前記送り経路の下流側の先頭の前記検出対象部が、前記検出位置よりも第１送り量分、前記送り経路の上流側に位置するように、前記送り部を制御するステップ、を実行し、
所定のトリガーが発生した際に、
前記検出部により前記検出対象部を検出するまで前記記録媒体を前記送り経路の下流側に送るように前記送り部を制御するステップと、
送り開始から前記検出部により前記検出対象部を検出するまでの前記記録媒体の送り量である実送り量が、前記第１送り量以上である基準送り量を超えたか否かを判断するステップと、
前記実送り量が前記基準送り量を超えたと判断した場合には、前記切断動作を行い、前記実送り量が前記基準送り量を超えていないと判断した場合には、前記切断動作を行わないように、前記切断部を制御するステップと、
を実行することを特徴とする記録装置の制御方法。
【発明の詳細な説明】
【技術分野】
【０００１】
本発明は、記録媒体に記録を行う記録装置および記録装置の制御方法に関するものである。
【背景技術】
【０００２】
従来、記録紙に設けられたブラックマークを検出器により検出し、検出器による検出結果に基づき、記録紙に印刷を行うために記録紙を印刷開始位置に位置決めする印刷装置が知られている。この印刷装置では、電源投入に基づいて、検出器によりブラックマークが検出されたか否かを判断し、検出されていないと判断した場合には、ブラックマークが検出されるまで、記録紙をバックフィードすることにより、記録紙を位置決めする（特許文献１参照）。
【先行技術文献】
【特許文献】
【０００３】
【特許文献１】特開２０１２−０９１４３７号公報
【発明の概要】
【発明が解決しようとする課題】
【０００４】
本発明者は、以下の課題を見出した。
記録媒体のなかには、先頭となって送られる側から順に、検出対象部が設けられていない非記録領域と、長さ方向に複数の前記検出対象部が設けられた記録領域と、を有するものがある。このような記録媒体を用いた場合に、記録装置が、所定のトリガー（例えば記録装置への電源投入）の発生に応じて、記録媒体を送り、検出対象部を検出した後、切断動作を行うことにより、非記録領域を切り離すことが考えられる。しかしながら、この場合、記録装置は、セットされた記録媒体の非記録領域がすでに切り離された状態にあるか否かを、所定のトリガー（例えば記録装置への電源投入）の発生時に判別することができないため、非記録領域が切り離された後も、トリガーが発生するたびに、記録媒体の先端付近に対して切断動作を行うことになる。その結果、記録媒体が極狭い幅で切り離され、或いは、記録媒体がない状態で切断動作が行われてしまう。記録媒体が極狭い幅で切り離されると、切り離された幅の極狭い記録媒体が切断部に入り込み、切断部の動作不良を引き起こすおそれがある。また、記録媒体がない状態で切断動作が行われると、切断部の寿命を縮めるおそれがある。
【０００５】
本発明は、非記録領域を切り離すことができ、また、非記録領域が切り離された後、記録媒体が極狭い幅で切り離されたり、記録媒体がない状態で切断動作が行われたりすることを抑制することができる記録装置および記録装置の制御方法を提供することを課題とする。
【課題を解決するための手段】
【０００６】
本発明の記録装置は、先頭となって送られる側から順に、検出対象部が設けられていない非記録領域と、長さ方向に複数の検出対象部が設けられた記録領域と、を有する記録媒体、を送る送り部と、記録媒体が送られる送り経路における記録位置で、記録媒体に記録を行う記録部と、送り経路において記録位置よりも下流側の切断位置で、記録媒体を切断する切断動作を行う切断部と、送り経路において記録位置よりも上流側の検出位置で、検出対象部を検出する検出部と、記録媒体に対して記録を行い、記録媒体の記録済み部分を切り離した後、未記録の記録媒体の送り経路の下流側の先頭の検出対象部が、検出位置よりも第１送り量分、送り経路の上流側に位置するように、送り部を制御し、また、所定のトリガーが発生した際に、検出部により検出対象部を検出するまで記録媒体を送り経路の下流側に送るように送り部を制御し、送り開始から検出部により検出対象部を検出するまでの記録媒体の送り量である実送り量が、第１送り量以上である基準送り量を超えたか否かを判断し、実送り量が基準送り量を超えたと判断した場合には、切断動作を行い、実送り量が基準送り量を超えていないと判断した場合には、切断動作を行わないように、切断部を制御する制御部と、を備えたことを特徴とする。
【０００７】
本発明の記録装置の制御方法は、先頭となって送られる側から順に、検出対象部が設けられていない非記録領域と、長さ方向に複数の検出対象部が設けられた記録領域と、を有する記録媒体、を送る送り部と、記録媒体が送られる送り経路における記録位置で、記録媒体に記録を行う記録部と、送り経路において記録位置よりも下流側の切断位置で、記録媒体を切断する切断動作を行う切断部と、送り経路において記録位置よりも上流側の検出位置で、検出対象部を検出する検出部と、を備えた記録装置において、記録媒体に記録を行い、記録媒体の記録済み部分を切り離した後、未記録の記録媒体の送り経路の下流側の先頭の検出対象部が、検出位置よりも第１送り量分、送り経路の上流側に位置するように、送り部を制御するステップ、を実行し、所定のトリガーが発生した際に、検出部により検出対象部を検出するまで記録媒体を送り経路の下流側に送るように送り部を制御するステップと、送り開始から検出部により検出対象部を検出するまでの記録媒体の送り量である実送り量が、第１送り量以上である基準送り量を超えたか否かを判断するステップと、実送り量が基準送り量を超えたと判断した場合には、切断動作を行い、実送り量が基準送り量を超えていないと判断した場合には、切断動作を行わないように、切断部を制御するステップと、を実行することを特徴とする。
【０００８】
この構成によれば、記録装置にセットされた記録媒体の非記録領域が切り離された後では、記録媒体へ記録が行われると、記録媒体の送りが停止した時点で、未記録の記録媒体の先頭側に設けられた検出対象部が、検出位置よりも第１送り量分、上流側に位置するように、記録媒体が位置決めされる。この状態で、トリガーが発生すると、実送り量が基準送り量を超えていないと判断され、切断動作が行われない。これにより、非記録領域が切り離された後、トリガーが発生するたびに、記録媒体の先端付近に対して切断部が切断動作を行うことが抑制される。一方、記録装置にセットされた記録媒体の非記録領域が切り離される前では、非記録領域がある分、記録媒体の最も先頭側に設けられた検出対象部が、検出位置よりも第１送り量分、上流側の位置よりもさらに上流側に位置した状態になる。この状態で、トリガーが発生すると、実送り量が基準送り量を超えたと判断されるため、切断動作が行われ、非記録領域が切り離される。したがって、本構成によれば、非記録領域を切り離すことができ、また、非記録領域が切り離された後、記録媒体が極狭い幅で切り離されたり、記録媒体がない状態で切断動作が行われたりすることを抑制することができる。
【０００９】
この場合、記録部は、検出対象部が検出位置よりも第１送り量分、送り経路の上流側に位置した状態から、記録媒体への記録を開始することが好ましい。
【００１０】
この構成によれば、記録媒体へ記録が行われると、記録媒体の送りが停止した時点で、未記録の記録媒体の先頭側に設けられた検出対象部が、検出位置よりも第１送り量分、上流側に位置するように、記録媒体が位置決めされ、その状態から、記録媒体への次の記録が開始される。したがって、本構成によれば、記録媒体へ記録を行った後、再び記録媒体に記録を行う際に、位置決め動作を改めて行うことなく、記録媒体への記録を即座に開始することができる。
【００１１】
この場合、制御部は、トリガーが発生した際に、検出部により検出対象部を検出した後、検出対象部が、検出位置よりも第１送り量分、送り経路の上流側に位置した状態で、記録媒体の送りを停止するように、送り部を制御することが好ましい。
【００１２】
この構成によれば、トリガーが発生すると、記録媒体の送りが停止した時点で、検出対象部が、検出位置よりも第１送り量分、上流側に位置するように、記録媒体が位置決めされ、その状態から、記録媒体への次の記録が開始される。したがって、本構成によれば、トリガーの発生後、記録媒体に記録を行う際に、位置決め動作を改めて行うことなく、記録媒体への記録を即座に開始することができる。
【００１３】
この場合、制御部は、第１送り量を、基準送り量として、判断することが好ましい。
【００１４】
この構成によれば、記録装置にセットされた記録媒体の非記録領域が切り離される前に、最も先頭側に設けられた検出対象部が、検出位置よりも第１送り量分、上流側の位置の比較的近くに位置した状態にある場合にも、トリガーが発生した際に、実送り量が基準送り量を超えたと判断される。したがって、本構成によれば、最も先頭側に設けられた検出対象部が、検出位置よりも第１送り量分、上流側の位置の比較的近くに位置した状態で、記録媒体が記録装置にセットされた場合にも、非記録領域を切り離すことができる。
【００１５】
この場合、制御部は、記録装置への電源投入をトリガーとして、トリガー発生時の制御を実行することが好ましい。
【００１６】
この構成によれば、非記録領域が切り離されていない記録媒体が電源オフ状態の記録装置へセットされた後、記録媒体へ電源が投入されると、切断部が切断動作を行うため、非記録領域が切り離される。一方、非記録領域が切り離された後、記録装置が電源ＯＦＦとなり、再び記録装置へ電源が投入されても、切断部が切断動作を行わない。したがって、本構成によれば、非記録領域が切り離された後、記録装置に電源が投入されるたびに、記録媒体の先端付近に対して切断部が切断動作を行うことを抑制することができる。
【００１７】
この場合、蓋体と、蓋体が開かれると露出し、記録媒体が収容される収容部と、をさらに備え、制御部は、蓋体が閉じられたことをトリガーとして、トリガー発生時の制御を実行することが好ましい。
【００１８】
この構成によれば、非記録領域が切り離されていない記録媒体が、蓋体が開かれた状態で媒体収容部に収容された後、蓋体が閉じられると、切断部が切断動作を行うため、非記録領域が切り離される。一方、非記録領域が切り離された後、蓋体が開かれ、再び蓋体が閉じられても、切断部が切断動作を行わない。したがって、本構成によれば、非記録領域が切り離された後、蓋体が開閉されるたびに、記録媒体の先端付近に対して切断部が切断動作を行うことを抑制することができる。
【図面の簡単な説明】
【００１９】
【図１】本発明の一実施形態に係る記録装置により記録面に記録が行われ、裏面に予めブラックマーク等が記録されたロール紙を示す図である。
【図２】記録装置を備えた記録システムを示す図である。
【図３】記録装置の内部構成を示す図である。
【図４】ｎ番目のブラックマークに対応した宝くじ券を発行する際に、記録装置が行う動作について説明するための図である。
【図５】記録装置に電源が投入された際に制御部が実行する処理を示すフローチャートである。
【図６】非記録領域が切り離されていないロール紙が記録装置にセットされた後、記録装置へ電源が投入された際に、記録装置が行う動作について説明するための図である。
【図７】記録装置にセットされたロール紙の非記録領域が切り離された後、記録装置へ電源が投入された際に、記録装置が行う動作について説明するための図である。
【発明を実施するための形態】
【００２０】
以下、添付の図面を参照しつつ、本発明の一実施形態に係る記録装置１について説明する。この記録装置１は、数字選択式の宝くじ券Ｌを発行するものである。
【００２１】
図１に基づいて、記録装置１により記録、すなわち印刷が行われるロール紙Ｒについて説明する。ロール紙Ｒは、長尺の感熱紙がロール状に巻かれたものである。以下の説明では、ロール紙Ｒにおいて、記録装置１により先頭となって送られる側（図１の上側）を「先頭側」といい、反対側（図１の下側）を「後方側」という。ロール紙Ｒは、先頭側から順に、非記録領域Ｒ１と、記録領域Ｒ２とを有する。
【００２２】
記録領域Ｒ２の一方の面（以下「裏面Ｒｂ」という。）には、複数のブラックマークＢＭが予め記録されている。複数のブラックマークＢＭは、ロール紙Ｒの長さ方向に沿って等間隔に設けられている。ブラックマークＢＭの形状およびサイズは、特に限定されないが、例えば、５ｍｍ角程度の正方形である。ブラックマークＢＭの色も特に限定されないが、裏面Ｒｂが白色である場合には黒色が好ましい。以下の説明では、先頭から数えてｎ番目（ｎは１以上の整数）に設けられたブラックマークＢＭを、単に「ｎ番目のブラックマークＢＭ」という。また、図示では、ｎ番目のブラックマークＢＭの符号を「ＢＭn」と表記する。
【００２３】
記録領域Ｒ２の裏面Ｒｂには、ブラックマークＢＭに対応して、シリアル番号Ｒｂ１および偽造防止用の絵柄Ｒｂ２が予め記録されている。一方、記録領域Ｒ２の記録面Ｒａには、記録装置１により、ブラックマークＢＭを基準とした位置に、発行情報Ｒａ１、くじ番号Ｒａ２、くじコードＲａ３などが記録される。発行情報Ｒａ１とは、宝くじ券Ｌの発行日時、発行した店舗、発行番号等の情報のことである。くじ番号Ｒａ２とは、購入者が選択または自動選択された数字の組合せのことである。くじコードＲａ３とは、くじ番号Ｒａ２を表す機械読取り可能なコード画像のことである。そして、記録領域Ｒ２は、記録が行われた後、記録装置１によりブラックマークＢＭを基準とした位置で切り離され、それぞれが宝くじ券Ｌとなる。
【００２４】
ブラックマークＢＭに対し、所定の記録寸法Ｄ１分、先頭側の箇所が、記録開始箇所Ｒｃとなる。また、ブラックマークＢＭに対し、所定の切断寸法Ｄ２分、先頭側の箇所が、切断箇所Ｒｄとなる。ここでは、記録寸法Ｄ１は、切断寸法Ｄ２よりも短いが、切断寸法Ｄ２と等しくてもよい。すなわち、記録開始箇所Ｒｃは、切断箇所Ｒｄを一致していてもよい。
【００２５】
非記録領域Ｒ１は、ロール紙Ｒの先頭側の端部に、例えば１００ｍｍないし２００ｍｍ程度設けられている。非記録領域Ｒ１は、詳細は後述するが、ロール紙Ｒが記録装置１にセットされた後、１番目のブラックマークＢＭに基づいてロール紙Ｒを位置決めするために、設けられている（図６参照）。非記録領域Ｒ１は、記録装置１にセットされた後は、記録が行われることなく、１番目のブラックマークＢＭを基準とした位置で切り離され、用済みとなる。
【００２６】
図２に基づいて、記録装置１を備えた記録システムＳｙについて説明する。記録システムＳｙは、記録装置１と、ホストコンピューター２とを備える。
【００２７】
記録装置１は、ロール紙Ｒに対して発行情報Ｒａ１等の記録を行い、記録済み部分を切り離すことにより、宝くじ券Ｌを発行する。記録装置１は、筺体１１と、蓋体１２とを備える。筺体１１の内部には、ロール紙Ｒが収容される収容部１３（図３参照）が設けられている。蓋体１２が開かれると、収容部１３が露出し、ロール紙Ｒの補充や交換が可能になる。また、筺体１１には、蓋開放ボタン１４、排出口１５、および電源スイッチ１６が設けられている。蓋開放ボタン１４が押されると、蓋体１２が開かれる。排出口１５は、記録済みのロール紙Ｒが排出される箇所である。電源スイッチ１６は、記録装置１の電源のＯＮ／ＯＦＦを切り替える。
【００２８】
ホストコンピューター２は、記録装置１と通信可能に接続されており、記録装置１を制御する。ホストコンピューター２は、ディスプレイ２１と、バーコードスキャナー２２と、キー入力部２３と、キャッシュドロワー２４とを備える。ディスプレイ２１は、発行される宝くじ券Ｌに関する情報等を表示する。バーコードスキャナー２２は、宝くじ券Ｌの購入用紙等に記録されたバーコードを読み取る。キー入力部２３は、後述する第１送り量Ａ１および第２送り量Ａ２等の入力や、宝くじ券Ｌの発行を指示する入力を受け付ける。キャッシュドロワー２４は、清算用の現金を収容する。また、ホストコンピューター２は、サーバー３と通信可能に接続されている。サーバー３は、記録装置１による宝くじ券Ｌの発行に必要な情報等を収集する。
【００２９】
このように構成された記録システムＳｙにおいて、ホストコンピューター２は、宝くじ券Ｌの発行を指示する入力を受け付けると、宝くじ券Ｌを発行するためのコマンドおよびデータを生成し、記録装置１に出力する。このコマンドおよびデータは、例えば、バーコードスキャナー２２からの入力データ、キー入力部２３からの入力データ、およびサーバー３から取得した情報に基づいて、生成される。記録装置１は、ホストコンピューター２から受信したコマンドおよびデータに基づいて、各部を動作させ、宝くじ券Ｌを発行する。
【００３０】
図３に基づいて、記録装置１の内部構成について説明する。記録装置１は、プラテンローラー１０１と、サーマルヘッド１０２と、カッター１０３と、ＢＭセンサー１０４と、蓋センサー１０５と、インターフェース部１０６と、制御部１０７とを備える。
【００３１】
プラテンローラー１０１は、サーマルヘッド１０２との間に挟持したロール紙Ｒを送る。プラテンローラー１０１は、送りモーター１０８を駆動源として、第１方向１０１ａと、第１方向１０１ａとは逆の第２方向１０１ｂとに回転可能である。送りモーター１０８としては、例えばステッピングモーターを用いることができる。プラテンローラー１０１が第１方向１０１ａに回転すると、サーマルヘッド１０２との間に挟持されたロール紙Ｒが、収容部１３から排出口１５へ向けて送られる。プラテンローラー１０１が第２方向１０１ｂに回転すると、サーマルヘッド１０２との間に挟持されたロール紙Ｒが、排出口１５から収容部１３へ向けて引き戻される。以下の説明では、収容部１３から排出口１５に至るロール紙Ｒの送り経路において、ロール紙Ｒが排出口１５へ向けて送られるときを基準に、収容部１３側を「上流側」といい、排出口１５側を「下流側」という。
【００３２】
サーマルヘッド１０２は、プラテンローラー１０１との間に挟持したロール紙Ｒに対して熱を加えることにより、ロール紙Ｒの記録面Ｒａに発行情報Ｒａ１等を記録する。
【００３３】
カッター１０３は、ロール紙Ｒを幅方向に切断する。カッター１０３は、カッターモーター１０９を駆動源として、切断動作を行う。カッター１０３としては、例えばハサミ形式で切断動作を行うものを用いることができる。なお、カッター１０３は、ロール紙Ｒを幅方向に完全に切断する構成でもよく、幅方向の一部を切り残す構成でもよい。また、カッターモーター１０９としては、例えばＤＣ（Direct Current）モーターを用いることができる。
【００３４】
ＢＭセンサー１０４は、ブラックマークＢＭを検出する。ＢＭセンサー１０４としては、例えば反射型のフォトインターラプターを用いることができる。ＢＭセンサー１０４は、ブラックマークＢＭの検出結果を、制御部１０７に出力する。
【００３５】
ロール紙Ｒの送り経路において、上流側から順に、検出位置Ｐ１と、記録位置Ｐ２と、切断位置Ｐ３とが並んでいる。すなわち、検出位置Ｐ１は、記録位置Ｐ２よりも上流側に設けられ、切断位置Ｐ３は、記録位置Ｐ２よりも下流側に設けられている。検出位置Ｐ１は、ＢＭセンサー１０４によりＢＭセンサー１０４が検出される位置である。記録位置Ｐ２は、サーマルヘッド１０２によりロール紙Ｒに記録が行われる位置である。切断位置Ｐ３は、カッター１０３によりロール紙Ｒが切断される位置である。
【００３６】
蓋センサー１０５は、蓋体１２の開閉状態を検出する。蓋センサー１０５としては、例えば、蓋体１２の開閉状態に応じてＯＮ／ＯＦＦが切り替わるマイクロスイッチを用いることができる。蓋センサー１０５は、蓋体１２の開閉状態の検出結果を、制御部１０７に出力する。
【００３７】
インターフェース部１０６は、ホストコンピューター２との間で、各種コマンドおよび各種データを送受信する。
【００３８】
制御部１０７は、記録装置１の各部を統括制御する。制御部１０７は、ＣＰＵ１０７１（Central Processing Unit）と、不揮発性メモリー１０７２と、ＲＡＭ１０７３（Random Access Memory）とを備える。ＣＰＵ１０７１は、ホストコンピューター２から受信したコマンドおよびデータに従って、不揮発性メモリー１０７２からプログラムをロードしてＲＡＭ１０７３を用いて実行し、記録装置１の全体の動作を制御する。不揮発性メモリー１０７２は、プログラムおよび各種設定値を記憶する。不揮発性メモリー１０７２としては、例えば、EEPROM（Electrically Erasable Programmable Read-Only Memory）を用いることができる。
【００３９】
制御部１０７は、送りモータードライバー１１１を介して送りモーター１０８を駆動することにより、プラテンローラー１０１を制御する。また、制御部１０７は、ヘッドドライバー１１２を介してサーマルヘッド１０２を駆動することにより、サーマルヘッド１０２を制御する。さらに、制御部１０７は、カッターモータードライバー１１３を介してカッターモーター１０９を駆動することにより、カッター１０３を制御する。
【００４０】
図４に基づいて、ｎ番目のブラックマークＢＭに対応した宝くじ券Ｌを発行する際に、記録装置１が行う動作について説明する。なお、ユーザーは、予め、ホストコンピューター２に対し、第１送り量Ａ１および第２送り量Ａ２を入力しておく。第１送り量Ａ１は、切断動作が行われた後に、ブラックマークＢＭが検出位置Ｐ１に位置した状態から、ロール紙Ｒが上流側に送られる量のことであり、記録寸法Ｄ１から、検出位置Ｐ１と記録位置Ｐ２との間の距離を引いた差分に相当する値である。また、第２送り量Ａ２は、ブラックマークＢＭの検出後、切断動作が行われる前に、ロール紙Ｒが下流側に送られる量のことであり、検出位置Ｐ１と切断位置Ｐ３との間の距離から、切断寸法Ｄ２を引いた差分に相当する値である。切断寸法Ｄ２や記録寸法Ｄ１は、ロール紙Ｒの種類によって異なるため、第１送り量Ａ１や第２送り量Ａ２として、ロール紙Ｒの種類に応じた値が入力される。本実施形態では、記録寸法Ｄ１が、検出位置Ｐ１と記録位置Ｐ２との間の距離よりも大きいため、第１送り量Ａ１として正の値が入力される。また、切断寸法Ｄ２が、検出位置Ｐ１と切断位置Ｐ３との間の距離と等しいため、第２送り量Ａ２としてゼロが入力される。入力された第１送り量Ａ１および第２送り量Ａ２は、記録装置１の不揮発性メモリー１０７２に記憶される。第１送り量Ａ１および第２送り量Ａ２は、ホストコンピューター２に入力される構成に限らず、記録装置１が第１送り量Ａ１および第２送り量Ａ２を取得できるのであれば、例えば記録装置１に入力される構成でもよい。
【００４１】
記録装置１は、（ｎ−１）番目のブラックマークＢＭに対応した宝くじ券Ｌを発行した後、ｎ番目のブラックマークＢＭが、検出位置Ｐ１よりも、第１送り量Ａ１分、上流側に位置した状態で、待機する。このとき、ｎ番目のブラックマークＢＭに対応した記録開始箇所Ｒｃは、記録位置Ｐ２に位置している。
【００４２】
記録装置１がｎ番目のブラックマークＢＭに対応した宝くじ券Ｌの発行を開始すると、プラテンローラー１０１がロール紙Ｒの送りを開始し、これに同期して、サーマルヘッド１０２が発熱を開始する。これにより、ロール紙Ｒに対して記録開始箇所Ｒｃから記録が開始される。なお、図４では、ロール紙Ｒのうち、記録済みの部分を、灰色で示す。
【００４３】
（ｎ＋１）番目のブラックマークＢＭが検出位置Ｐ１に達し、ＢＭセンサー１０４が（ｎ＋１）番目のブラックマークＢＭを検出すると、プラテンローラー１０１が、さらにその時点から、第２送り量Ａ２分、ロール紙Ｒを送る。これにより、（ｎ＋１）番目のブラックマークＢＭに対応した切断箇所Ｒｄが、切断位置Ｐ３に位置した状態となる。本実施形態では、第２送り量Ａ２がゼロに設定されているため、ＢＭセンサー１０４により（ｎ＋１）番目のブラックマークＢＭが検出された後、さらにロール紙Ｒが送られることなく、次の動作に移行する。すなわち、第２送り量Ａ２がゼロに設定されている場合、（ｎ＋１）番目のブラックマークＢＭに対応した切断箇所Ｒｄは、ＢＭセンサー１０４により（ｎ＋１）番目のブラックマークＢＭが検出された時点で、切断位置Ｐ３に位置した状態にある。
【００４４】
続いて、カッター１０３が切断動作を行う。これにより、（ｎ＋１）番目のブラックマークＢＭに対応した切断箇所Ｒｄでロール紙Ｒが切断され、ロール紙Ｒの記録済み部分が切り離される。切り離されたロール紙Ｒの記録済み部分は、宝くじ券Ｌとなる。
【００４５】
切断動作が行われた後、プラテンローラー１０１は、まず、第２送り量Ａ２分、ロール紙Ｒを先ほどとは反対側に送る。これにより、（ｎ＋１）番目のブラックマークＢＭがＢＭセンサー１０４により検出され、検出位置Ｐ１に位置した状態となる。この状態から、プラテンローラー１０１は、さらに第１送り量Ａ１分ロール紙Ｒを上流側に送る。本実施形態では、第２送り量Ａ２がゼロに設定されているため、切断動作が行われた後、プラテンローラー１０１は、第１送り量Ａ１分だけ、ロール紙Ｒを上流側に送る。これにより、未記録のロール紙Ｒの先頭側に設けられたブラックマークＢＭ、すなわち（ｎ＋１）番目のブラックマークＢＭが、検出位置Ｐ１よりも第１送り量Ａ１分上流側に位置する。また、（ｎ＋１）番目のブラックマークＢＭに対応した記録開始箇所Ｒｃが、記録位置Ｐ２に位置した状態となる。この状態で、記録装置１は、（ｎ＋１）番目のブラックマークＢＭに対応した宝くじ券Ｌの発行を開始するまで待機する。
【００４６】
図５に基づいて、記録装置１に電源が投入された際に制御部１０７が実行する処理について説明する。制御部１０７は、ステップＳ１において、記録装置１の電源がＯＮであるか否かを判断する。制御部１０７は、記録装置１の電源がＯＮであると判断した場合に（Ｓ１；Ｙｅｓ）、ステップＳ２に進む。制御部１０７は、記録装置１の電源がＯＦＦであると判断した場合に（Ｓ１；Ｎｏ）、ステップＳ１を繰り返し行う。
【００４７】
制御部１０７は、ステップＳ２において、ＢＭセンサー１０４によりブラックマークＢＭが検出されたか否かを判断する。制御部１０７は、ＢＭセンサー１０４によりブラックマークＢＭが検出されていないと判断した場合に（Ｓ２；Ｎｏ）、ステップＳ３に進む。制御部１０７は、ステップＳ３において、プラテンローラー１０１を所定量（例えば１パルス分）第１方向１０１ａに回転させた後、ステップＳ２に戻る。制御部１０７は、ステップＳ２において、ＢＭセンサー１０４によりブラックマークＢＭが検出されたと判断した場合に（Ｓ２；Ｙｅｓ）、ステップＳ４に進む。このように、制御部１０７は、ＢＭセンサー１０４によりブラックマークＢＭが検出されるまでロール紙Ｒを下流側に送るように、プラテンローラー１０１を制御する。
【００４８】
ここで、送り開始からブラックマークＢＭが検出されるまでの送り量を、実送り量Ａｒという。制御部１０７は、実送り量Ａｒを、例えば、送り開始からブラックマークＢＭが検出されるまでに送りモーター１０８に供給されたパルス数に基づいて、取得する。なお、制御部１０７が、ステップＳ１に続く最初のステップＳ２において、ＢＭセンサー１０４によりブラックマークＢＭが検出されたと判断し、プラテンローラー１０１を回転させることなく、ステップＳ４に進んだ場合、実送り量Ａｒは、ゼロとなる。
【００４９】
制御部１０７は、ステップＳ４に進み、実送り量Ａｒが、基準送り量Ａｓを超えたか否かを判断する。本実施形態では、基準送り量Ａｓは、第１送り量Ａ１と等しい。後述するように、非記録領域Ｒ１が切り取られる前には、実送り量Ａｒが基準送り量Ａｓを超えたと判断され、非記録領域Ｒ１が切り取られた後では、実送り量Ａｒが基準送り量Ａｓを超えていないと判断される。制御部１０７は、実送り量Ａｒが、基準送り量Ａｓを超えたと判断した場合に（Ｓ４；Ｙｅｓ）、ステップＳ５に進む。制御部１０７は、実送り量Ａｒが、基準送り量Ａｓを超えていないと判断した場合に（Ｓ４；Ｎｏ）、ステップＳ７に進む。
【００５０】
制御部１０７は、ステップＳ５において、第２送り量Ａ２分、ロール紙Ｒが送られるように、プラテンローラー１０１を回転させる。本実施形態では、上述したように、第２送り量Ａ２がゼロに設定されているため、ステップＳ５においてロール紙Ｒが送られることなく、ステップＳ６に移行する。
【００５１】
制御部１０７は、ステップＳ６に進み、切断動作を行うように、カッター１０３を制御する。
【００５２】
制御部１０７は、ステップＳ７において、第１送り量Ａ１分、ロール紙Ｒが送られるように、プラテンローラー１０１を回転させる。制御部１０７は、ステップＳ７を行った後、処理を終了する。
【００５３】
図５を参照しつつ、図６に基づいて、非記録領域Ｒ１が切り離されていないロール紙Ｒが記録装置１にセットされた後、記録装置１へ電源が投入された際に、記録装置１が行う動作について説明する。
【００５４】
ロール紙Ｒは、通常、先頭側の端部が数十ｍｍ程度、排出口１５から出るようにしてセットされる。このとき、１番目のブラックマークＢＭは、検出位置Ｐ１よりも第１送り量Ａ１分上流側の位置よりもさらに上流側に位置している。
【００５５】
ロール紙Ｒが記録装置１にセットされた後、記録装置１の電源が投入されると（Ｓ１；Ｙｅｓ）、プラテンローラー１０１が、ＢＭセンサー１０４により１番目のブラックマークＢＭが検出されるまでロール紙Ｒを送る（Ｓ２、Ｓ３）。送り開始前に、１番目のブラックマークＢＭが、検出位置Ｐ１よりも第１送り量Ａ１分上流側の位置よりもさらに上流側に位置しているため、制御部１０７は、実送り量Ａｒが基準送り量Ａｓを超えたと判断する（Ｓ４；Ｙｅｓ）。そして、１番目のブラックマークＢＭが検出された時点で、１番目のブラックマークＢＭに対応した切断箇所Ｒｄは、切断位置Ｐ３に位置した状態にある。
【００５６】
続いて、カッター１０３が、切断動作を行う（Ｓ６）。これにより、１番目のブラックマークＢＭに対応した切断箇所Ｒｄ、すなわち非記録領域Ｒ１と記録領域Ｒ２との境界、でロール紙Ｒが切断され、非記録領域Ｒ１が切り離される。その後、プラテンローラー１０１が、第１送り量Ａ１分、ロール紙Ｒを上流側に送る（Ｓ７）。これにより、１番目のブラックマークＢＭが検出位置Ｐ１よりも第１送り量Ａ１分上流側に位置するように、また、１番目のブラックマークＢＭに対応する記録開始箇所Ｒｃが記録位置Ｐ２に位置するように、ロール紙Ｒが位置決めされる。この状態で、記録装置１は、１番目のブラックマークＢＭに対応した宝くじ券Ｌの発行を開始するまで待機する。
【００５７】
図５を参照しつつ、図７に基づいて、記録装置１にセットされたロール紙Ｒの非記録領域Ｒ１が切り離された後、記録装置１へ電源が投入された際に、記録装置１が行う動作について説明する。
【００５８】
上述したように、記録装置１は、（ｎ−１）番目のブラックマークＢＭに対応した宝くじ券Ｌを発行した後、ｎ番目のブラックマークＢＭが、検出位置Ｐ１よりも、第１送り量Ａ１だけ、上流側に位置した状態で、待機する。この状態で、記録装置１へ電源が投入されると（Ｓ１；Ｙｅｓ）、プラテンローラー１０１が、ＢＭセンサー１０４によりｎ番目のブラックマークＢＭが検出されるまでロール紙Ｒを送る（Ｓ２、Ｓ３）。送り開始前に、ｎ番目のブラックマークＢＭが検出位置Ｐ１よりも第１送り量Ａ１分上流側に位置しており、実送り量Ａｒは第１送り量Ａ１と等しくなるため、制御部１０７は、実送り量Ａｒが基準送り量Ａｓを超えていないと判断する（Ｓ４；Ｎｏ）。そして、ｎ番目のブラックマークＢＭが検出された時点で、ｎ番目のブラックマークＢＭに対応した切断箇所Ｒｄ、すなわち、ロール紙Ｒの先頭側の端部は、切断位置Ｐ３に位置した状態にある。
【００５９】
続いて、カッター１０３が、切断動作を行うことなく、プラテンローラー１０１が、第１送り量Ａ１分、ロール紙Ｒを上流側に送る（Ｓ７）。これにより、ｎ番目のブラックマークＢＭが検出位置Ｐ１よりも第１送り量Ａ１分上流側に位置するように、また、ｎ番目のブラックマークＢＭに対応する記録開始箇所Ｒｃが記録位置Ｐ２に位置するように、ロール紙Ｒが位置決めされる。この状態で、記録装置１は、ｎ番目のブラックマークＢＭに対応した宝くじ券Ｌの発行を開始するまで待機する。
【００６０】
以上のように、本実施形態の記録装置１では、制御部１０７が、ロール紙Ｒに対して記録が行われる際に、ロール紙Ｒの記録済み部分が切り離された後、未記録のロール紙Ｒの先頭側に設けられたブラックマークＢＭが、前記検出位置よりも第１送り量Ａ１分、上流側に位置するように、プラテンローラー１０１を制御する。また、制御部１０７が、記録装置１に電源が投入された際に、ブラックマークＢＭが検出されるまでロール紙Ｒを下流側に送るようにプラテンローラー１０１を制御し、実送り量Ａｒが基準送り量Ａｓを超えたか否かを判断する。制御部１０７は、実送り量Ａｒが基準送り量Ａｓを超えたと判断した場合には、切断動作を行い、実送り量Ａｒが基準送り量Ａｓを超えていないと判断した場合には、切断動作を行わないように、カッター１０３を制御する。
【００６１】
この構成によれば、記録装置１にセットされたロール紙Ｒの非記録領域Ｒ１が切り離された後では、ロール紙Ｒへ記録が行われると、ロール紙Ｒの送りが停止した時点で、未記録のロール紙Ｒの先頭側に設けられたブラックマークＢＭが検出位置Ｐ１よりも第１送り量Ａ１分上流側に位置するように、ロール紙Ｒが位置決めされる。この状態で、記録装置１に電源が投入されると、実送り量Ａｒが基準送り量Ａｓを超えていないと判断され、切断動作が行われない。これにより、記録領域Ｒ２が切り離された後、記録装置１に電源が投入されるたびに、ロール紙Ｒの先端付近に対してカッター１０３が切断動作を行うことが抑制される。一方、記録装置１にセットされたロール紙Ｒの非記録領域Ｒ１が切り離される前では、非記録領域Ｒ１がある分、１番目のブラックマークＢＭが、検出位置Ｐ１よりも第１送り量Ａ１分上流側の位置よりもさらに上流側に位置した状態になる。この状態で、記録装置１に電源が投入されると、実送り量Ａｒが基準送り量Ａｓを超えたと判断されるため、切断動作が行われ、非記録領域Ｒ１が切り離される。したがって、本構成によれば、非記録領域Ｒ１を切り離すことができ、また、非記録領域Ｒ１が切り離された後、ロール紙Ｒが極狭い幅で切り離されたり、空カット、すなわち、ロール紙Ｒがない状態で切断動作が行われたりすることを抑制することができる。
【００６２】
本実施形態の記録装置１では、ブラックマークＢＭが検出位置Ｐ１よりも第１送り量Ａ１分上流側に位置した状態から、サーマルヘッド１０２がロール紙Ｒへの記録を開始する。
この構成によれば、ロール紙Ｒへ記録が行われると、ロール紙Ｒの送りが停止した時点で、未記録のロール紙Ｒの先頭側に設けられたブラックマークＢＭが検出位置Ｐ１よりも第１送り量Ａ１分上流側に位置するように、ロール紙Ｒが位置決めされ、その状態から、ロール紙Ｒへの次の記録が開始される。したがって、本構成によれば、ロール紙Ｒへ記録を行った後、再びロール紙Ｒに記録を行う際に、位置決め動作を改めて行うことなく、ロール紙Ｒへの記録を即座に開始することができる。
【００６３】
本実施形態の記録装置１では、制御部１０７が、記録装置１に電源が投入された際に、ＢＭセンサー１０４によりブラックマークＢＭが検出された後、ブラックマークＢＭが検出位置Ｐ１よりも第１送り量Ａ１分上流側に位置した状態で、ロール紙Ｒの送りを停止するように、プラテンローラー１０１を制御する。
この構成によれば、記録装置１に電源が投入されると、ロール紙Ｒの送りが停止した時点でブラックマークＢＭが検出位置Ｐ１よりも第１送り量Ａ１分上流側に位置するように、ロール紙Ｒが位置決めされ、その状態から、ロール紙Ｒへの次の記録が開始される。したがって、本構成によれば、記録装置１に電源が投入された後、ロール紙Ｒに記録を行う際に、位置決め動作を改めて行うことなく、ロール紙Ｒへの記録を即座に開始することができる。
【００６４】
本実施形態の記録装置１では、制御部１０７が、第１送り量Ａ１を、基準送り量Ａｓとして、判断する。
この構成によれば、記録装置１にセットされたロール紙Ｒの非記録領域Ｒ１が切り離される前に、１番目のブラックマークＢＭが、検出位置Ｐ１よりも第１送り量Ａ１分上流側の位置の比較的近くに位置した状態にある場合にも、記録装置１に電源が投入された際に、実送り量Ａｒが基準送り量Ａｓを超えたと判断される。したがって、本構成によれば、１番目のブラックマークＢＭが、検出位置Ｐ１よりも第１送り量Ａ１分上流側の位置の比較的近くに位置した状態で、ロール紙Ｒが記録装置１にセットされた場合にも、非記録領域Ｒ１を切り離すことができる。なお、制御部１０７は、第１送り量Ａ１よりも大きい値を、基準送り量Ａｓとして判断してもよい。
【００６５】
なお、ブラックマークＢＭは、「検出対象部」の一例である。ロール紙Ｒは、「記録媒体」の一例である。プラテンローラー１０１は、「送り部」の一例である。サーマルヘッド１０２は、「記録部」の一例である。カッター１０３は、「切断部」の一例である。ＢＭセンサー１０４は、「検出部」の一例である。
本発明は上記した実施形態に限定されず、その趣旨を逸脱しない範囲で種々の構成を採用可能であることは言うまでもない。例えば、本実施形態は、以下のような形態に変更することができる。
【００６６】
第１送り量Ａ１は、ゼロでもよい。このため、「検出位置Ｐ１よりも第１送り量Ａ１分、上流側の位置」とは、検出位置Ｐ１である場合も含む概念である。第１送り量Ａ１がゼロである場合には、切断動作が行われた後に、ブラックマークＢＭが検出された状態からロール紙Ｒが送られることなく、記録装置１が待機状態となる。なお、第１送り量Ａ１がゼロの場合には、基準送り量Ａｓがゼロでもよい。
【００６７】
また、第２送り量Ａ２は、正の値でもよく、負の値でもよい。第２送り量Ａ２が正の値である場合には、ブラックマークＢＭが検出された後、カッター１０３の切断動作の前に、プラテンローラー１０１がロール紙Ｒを下流側に送る。第２送り量Ａ２が負の値である場合には、ブラックマークＢＭが検出された後、カッター１０３の切断動作の前に、プラテンローラー１０１がロール紙Ｒを上流側に送る。
【００６８】
制御部１０７は、ステップＳ１に続く最初のステップＳ２において、ＢＭセンサー１０４によりブラックマークＢＭが検出されたと判断した場合に、上流側にロール紙Ｒを所定の送り量分、送った後、ブラックマークＢＭが検出されるまで、下流側にロール紙Ｒを送るように、プラテンローラー１０１を制御してもよい。この場合、制御部１０７は、基準送り量Ａｓを、上流側への所定の送り量以上とすればよい。
【００６９】
また、制御部１０７は、記録装置１に電源が投入された場合に限らず、例えば、蓋体１２が閉じられたことをトリガーとして、上記の制御を実行してもよい。すなわち、制御部１０７は、上記のステップＳ１において、蓋センサー１０５により蓋体１２が「開」状態から「閉」状態になったことが検出された場合に、ステップＳ２に進むようにしてもよい。
【００７０】
ロール紙Ｒには、検出対象部として、ブラックマークＢＭに代えて、例えば、切欠きや開口が設けられてもよい。
記録装置１は、検出部として、ＢＭセンサー１０４に代え、検出対象部を検出可能な他のタイプの検出部を備えてもよい。
記録装置１は、記録媒体として、ロール紙Ｒに代え、例えば、ファンフォールド紙に対して記録や切断を行うものでもよい。また、記録媒体の材質も問わない。
記録装置１は、記録部として、サーマルヘッド１０２に代え、インクジェット方式や、電子写真方式など、他の方式で記録を行うものを備えてもよい。
記録装置１は、宝くじ券Ｌを発行するものに限られず、例えば、レシート、クーポン、チケットなどを発行するものでもよい。
【符号の説明】
【００７１】
１…記録装置、１５…排出口、１０１…プラテンローラー、１０２…サーマルヘッド、１０３…カッター、１０４…ＢＭセンサー、Ａ１…第１送り量、ＢＭ…ブラックマーク、Ｐ１…検出位置、Ｐ２…記録位置、Ｐ３…切断位置、Ｒ…ロール紙、Ｒ１…非記録領域、Ｒ２…記録領域、Ｒｃ…記録開始箇所、Ｒｄ…切断箇所
【図１】
2017087658.tif 000003
【図２】
2017087658.tif 000004
【図３】
2017087658.tif 000005
【図４】
2017087658.tif 000006
【図５】
2017087658.tif 000007
【図６】
2017087658.tif 000008
【図７】
2017087658.tif 000009